(57)【要約】【課題】遊技球が始動口へ入賞することにより図柄変動表示器の図柄が変動表示され、所定図柄にて変動停止したときに大当たりが発生するパチンコ遊技機であって、図柄変動中に始動口に遊技球が入賞したときにその入賞情報を記憶する入賞情報保留手段を備えたものにおいて、多数の入賞情報を記憶し得る入賞情報保留手段が具備されていてもその入賞情報の入出力に伴うＲＡＭ，ＣＰＵ等が処理すべきジョブが軽減されるようにする。【解決手段】始動口５に遊技球が入賞する毎に入賞情報が作成され、該入賞情報に基づき大当たりの可否が決定され図柄変動表示器２が図柄を変動表示するとともに、図柄変動中に始動口に遊技球が入賞したときはその入賞情報が入賞情報保留手段に記憶されるようにしたパチンコ遊技機において、該入賞情報保留手段を複数組の保留エリアＡ〜Ｊに分割し、該各保留エリア毎に入賞情報が記憶されるようにし、入賞情報が入出力されると該入賞情報の記憶部位が該保留エリア内でのみシフトするようにした。【選択図】  図５
2004242791.tif 000002
【特許請求の範囲】
【請求項１】
始動口に遊技球が入賞する毎に入賞情報が作成され、該入賞情報に基づき大当たりの可否が決定され図柄変動表示器が図柄を変動表示するとともに、図柄変動中に始動口に遊技球が入賞したときはその入賞情報が入賞情報保留手段に記憶されるようにしたパチンコ遊技機において、該入賞情報保留手段を複数組の保留エリアに分割し、該各保留エリア毎に入賞情報が記憶されるようにし、入賞情報が入出力されると該入賞情報の記憶部位が該保留エリア内でのみシフトするようにしたことを特徴とするパチンコ遊技機。
【請求項２】
図柄変動表示器の図柄変動態様を保留エリア毎に異ならせるように設定した請求項１に記載のパチンコ遊技機。
【請求項３】
遊技態様を保留エリア毎に異ならせるように設定した請求項１または２に記載のパチンコ遊技機。
【請求項４】
遊技者が保留エリアを選択できるように設定した請求項１〜３のいずれかに記載のパチンコ遊技機。
【請求項５】
新たな入賞情報は遊技中の保留エリアに優先的に記憶されるように設定した請求項１〜４のいずれかに記載のパチンコ遊技機。
【発明の詳細な説明】
【０００１】
【発明の属する技術分野】
本発明は、遊技球が始動口へ入賞することにより図柄変動表示器の図柄が変動表示され、所定図柄にて変動停止したときに大当たりが発生するパチンコ遊技機に関するものである。
【０００２】
【従来の技術】
【特許文献１】
特開平１０−５４０１号公報
【特許文献２】
特開２００２−２１０１４４号公報
【０００３】
第１種パチンコ遊技機は、遊技盤に液晶等の図柄変動表示器が設けられ、遊技球が始動口に入賞すると、該図柄変動表示器に記号またはキャラクター等の図柄が複数列にて変動表示され、その変動は数秒後に停止し、その停止図柄が所定の確率で例えば「７７７」のように同図柄となった場合に大当たりとなり、大入賞口（可変入賞装置）の開閉扉がソレノイドの作動により継続的に開かれて入賞が容易となり景品球を一時に多数取得できるものである。
【０００４】
また、この種のパチンコ遊技機では従来から図柄変動中に始動口に遊技球が入賞すると、その入賞情報がＲＡＭに一時記憶（変動保留）され、その図柄変動が終わるのを待ってその記憶に従いさらに該図柄変動表示器の図柄変動が開始されるように構成され、従来のパチンコ遊技機では普通は４個までその入賞が記憶可能であって、その個数は遊技盤に設けられた４つのランプを並べてなるインジケータ（変動保留個数表示装置）によって遊技者が知り得るようにしている。
【０００５】
ところで、上記ＲＡＭの記憶領域には上記特許文献にも示されているように、始動口に遊技球が入賞したときに取得された乱数からなる遊技情報が記憶される。そして、例えば図１（イ）に示したように、アドレス１〜４の記憶部位に入賞情報Ｒ１〜Ｒ４が夫々記憶されていたとすると、その一端の入賞情報Ｒ１から図柄変動が実行（消化）されその記憶が消去されるに従い、（ロ），（ハ）に示したように順に記憶部位がシフトされ、上記インジケータもいわゆる左詰として右側のものから順にランプが消えるように構成されている。
【０００６】
【発明が解決しようとする課題】
このように、従来は図柄変動が実行（消化）されるに従い入賞情報を一つずつシフトさせてゆくものであったので、記憶部位を図２に示したように仮に４０個に増やしたとすると、多数の遊技情報が記憶されるに従ってそのシフト処理のためのＣＰＵの所要処理時間が長くなり、他の処理能力に影響を及ぼすおそれがあった。
【０００７】
そこで本発明は、多数の入賞情報を記憶し得るようにしても、入賞情報の入出力に伴うＲＡＭ，ＣＰＵ等のジョブが大きく増えることなく、処理能力を維持し得るパチンコ遊技機を提供するものである。
【０００８】
【課題を解決するための手段】
そのために本発明は、始動口に遊技球が入賞する毎に入賞情報が作成され、該入賞情報に基づき大当たりの可否が決定され図柄変動表示器が図柄を変動表示するとともに、図柄変動中に始動口に遊技球が入賞したときはその入賞情報が入賞情報保留手段に記憶されるようにしたパチンコ遊技機において、該入賞情報保留手段を複数組の保留エリアに分割し、該各保留エリア毎に入賞情報が記憶されるようにし、入賞情報が入出力されると該入賞情報の記憶部位が該保留エリア内でのみシフトするようにしたことを特徴とする。
【０００９】
また本発明は上記パチンコ遊技機において、図柄変動表示器の図柄変動態様を保留エリア毎に異ならせるように設定したことを特徴とする。
【００１０】
また本発明は上記パチンコ遊技機において、遊技態様を保留エリア毎に異ならせるように設定したことを特徴とする。
【００１１】
また本発明は上記パチンコ遊技機において、遊技者が保留エリアを選択できるように設定したことを特徴とする。
【００１２】
また本発明は上記パチンコ遊技機において、新たな入賞情報は遊技中の保留エリアに優先的に記憶されるように設定したことを特徴とする。
【００１３】
【発明の実施の形態】
次に請求項１に記載の発明の実施形態を図面に従い説明する。図３はこのパチンコ遊技機における遊技盤１の概略を示す正面図で、図中、２は該遊技盤１上に設けられた液晶表示器からなる図柄変動表示器、３，４は両袖部普通入賞口、５はソレノイドにより一対の羽根が開閉動し得るように設けられたチューリップ型の始動口、６は天入賞口である。７は該始動口５の下方に設けられた大きな長方形状の大入賞口からなる可変入賞装置で、該可変入賞装置にはソレノイドの作動により開閉動する開閉扉８が設けられている。また、９は２つの数字表示器を並設してなる変動保留個数表示装置である。
【００１４】
図４は上記図柄変動表示器２を作動させる制御系の概略を示したブロック図で、１０はＣＰＵ，ＲＯＭ，ＲＡＭ等からなる主基板、１１はＣＰＵおよびＶＤＰ（ビデオディスプレイプロセッサ），画像ＲＯＭ，画像ＲＡＭ等からなる図柄制御基板で、該図柄制御基板は該主基板からの指令により画像ＲＯＭから図柄パターンを選択し、図柄変動表示器２に画像表示すべき図柄変動パターンを作成する。１２は前記始動口５に設けられ入賞球検出信号を該主基板１０に送る入賞球検出スイッチである。また、上記変動保留個数表示装置９が主基板１０に接続されているとともに、他の入賞球検出スイッチ、前記開閉扉８を開閉するソレノイド、音声制御基板、賞球払出基板（いずれも図示省略）等の周辺機器が該主基板１０に接続される。
【００１５】
そして、主基板１０は、入賞球検出スイッチ１２からの入賞球検出信号を受けて乱数を取得し、その乱数を判定することにより「大当たり」または「ハズレ」を決定する当否判定手段と、その乱数および／またはその乱数を判別することにより得られた入賞情報を記憶し得る入賞情報保留手段と、図柄変動表示器２に表示すべき変動図柄を決定する図柄決定手段と、大当たり動作制御手段とを夫々ＲＯＭに格納されたプログラムがＣＰＵに読み込まれることにより具備し得る。
【００１６】
上記入賞情報保留手段は、図５（イ）に入賞情報を４０個保留可能なものについて例示したように、Ａ組〜Ｊ組の１０組の保留エリアに分割され、該各保留エリア毎に４つの入賞情報Ｒ１〜Ｒ４，Ｒ５〜Ｒ８，Ｒ９〜Ｒ１２，……，Ｒ３７〜Ｒ４０が記憶されるようにアドレス１〜４からなる４つの記憶部位を夫々有するものである。そして、該各保留エリアの入賞情報は、図柄変動表示器２にて図柄変動が実行（消化）されるに従い、（ロ），（ハ）に示したように、記憶部位が該保留エリア内でのみシフトするようにしている。
【００１７】
また、請求項２に記載の発明は、図柄変動を実行する保留エリア毎に図柄変動態様を異ならせるもので、例えば表１に示したように「野球」をテーマとし、Ａ組の保留エリアに記憶された遊技情報が実行（消化）される場合は、図柄変動表示器２に野球服のキャラクターを表示し、バット，野球ボール，ミット等の野球用具を図柄とする図柄変動態様とし、Ｂ組の保留エリアに記憶された遊技情報が実行される場合は「サッカー」をテーマとし、図柄変動表示器２にサッカー姿のキャラクターを表示し、サッカーボール，ゴール等のサッカー用具を図柄とする図柄変動態様とするなど、保留エリア毎に予め定められたテーマに従い種々の図柄変動態様が演出されるようにすることで、遊技を多様化させ、遊技者の注意を喚起できるようにするものである。なお、図柄変動態様はこのような図柄の変更にとどまらず変動パターン，リーチ演出パターン等を異ならせることも可能である。
【００１８】
【表１】
2004242791.tif 000003
【００１９】
また、請求項３に記載の発明は、遊技態様を保留エリア毎に異ならせるもので、表２に示したように、例えばＡ組の保留エリアに記憶された遊技情報では、大当たりとなる確率が１／２５０に設定され、その大当たり作動時における最高ラウンド数を少なく設定することにより出球数が１６００個程度となるように設定され、一方、Ｊ組の保留エリアに記憶された遊技情報では、大当たりとなる確率を１／３４０に設定し、その大当たり作動時における最高ラウンド数を多く設定することにより出球数が２５００個程度となるようにするなど、保留エリア毎に遊技態様を異ならせることで、さらに多様な遊技がなされるようにするものである。また、表３に示したように、図柄変動態様と遊技態様とが保留エリア毎に同時に異なるように設定することも可能である。
【００２０】
【表２】
2004242791.tif 000004
【表３】
2004242791.tif 000005
【００２１】
また、請求項４に記載したように、パチンコ遊技機の前面に遊技者が操作し得る選択ボタンを設け、遊技者の嗜好により自由に保留エリアを選択できるようにすることもできる。図６にその選択ボタンを操作することで選択モードに切り替わり図柄変動表示器２に表示される選択画面を例示する。いま同図では「テニス」をテーマとする保留エリアがバックライトを明るくすることで選択され、保留数がランプの点灯数により３個であることが表示されている状況である。また、この選択は、新たに生じる入賞情報を記憶させる保留エリアを選択する「保留エリア選択画面」と、すでに保留されている入賞情報を図柄変動に使用する「消化エリア選択画面」とを設け、夫々を遊技者が自由に選択し得るようにすることも可能である。
【００２２】
また、初期状態では例えば「野球」の保留エリアが選択されており、記憶すべき入賞情報でその保留エリアが満タンになると他の保留エリアに記憶されるようにするようにすれば、野球エリアが満タンになった時だけ他のキャラクター，図柄等が表示されるようになり、時として遊技に新鮮な印象を与えることもできる。
【００２３】
また、請求項５に記載の発明は、新たな入賞情報が遊技中の保留エリアに優先的に記憶されるようにするもので、図７（ニ）に示したように、いま例えばＣ組の保留エリアが選択されていて該保留エリアＣに空きがある場合は、新たに遊技球が始動口に入賞したときその遊技情報Ｒ６は（ホ）に示したように、この遊技中の保留エリアＣに優先的に記憶されるようにすることで遊技の継続性が保たれるようにする。また、さらに遊技情報Ｒ７が生じてこの遊技中の保留エリアＣに空きがなくなった場合は、（ヘ）に示したように、この遊技情報は他の保留エリアＤに記憶されるようにするものである。ちなみに、図８はこのように新たに生じた遊技情報を記憶すべき保留エリアが決められる手順を示したフローチャートである。また、図９は図柄変動に消化すべき保留エリアが決められる手順を示したフローチャートである。
【００２４】
【発明の効果】
このように本発明は、入賞情報保留手段を複数組の保留エリアに分割し、該各保留エリア毎に入賞情報が記憶されるようにし、入賞情報が入出力されると該入賞情報の記憶部位が該保留エリア内でのみシフトするようにしたことから、多数の入賞情報を記憶し得る入賞情報保留手段が具備されていてもその入賞情報の入出力に伴うＲＡＭ，ＣＰＵ等の処理すべきジョブが軽減され、処理能力を維持できる有益な効果がある。
【図面の簡単な説明】
【図１】従来のパチンコ遊技機における遊技情報の記憶領域図。
【図２】遊技情報の記憶部位を増やしたときの記憶領域図。
【図３】本発明に係るパチンコ遊技機の遊技盤の実施形態を示す正面図。
【図４】本発明に係るパチンコ遊技機の実施形態を示すブロック図。
【図５】本発明に係るパチンコ遊技機の遊技情報の記憶領域図。
【図６】本発明に係るパチンコ遊技機の図柄変動表示器に表示される選択画面図。
【図７】本発明に係るパチンコ遊技機の遊技情報の記憶領域図。
【図８】本発明に係るパチンコ遊技機の遊技情報記憶のフローチャート。
【図９】本発明に係るパチンコ遊技機の遊技情報実行のフローチャート。
【符号の説明】
１          遊技盤
２          図柄変動表示器
５          始動口
７          可変入賞装置
８          開閉扉
９          変動保留個数表示装置
１０        主基板
１１        図柄制御基板
１２        入賞球検出スイッチ
Ａ〜Ｊ      保留エリア
【図１】
2004242791.tif 000006
【図２】
2004242791.tif 000007
【図３】
2004242791.tif 000008
【図４】
2004242791.tif 000009
【図５】
2004242791.tif 000010
【図６】
2004242791.tif 000011
【図７】
2004242791.tif 000012
【図８】
2004242791.tif 000013
【図９】
2004242791.tif 000014